【手続補正書】
【提出日】平成17年11月29日(2005.11.29)
【手続補正１】
【補正対象書類名】明細書
【補正対象項目名】特許請求の範囲
【補正方法】変更
【補正の内容】
【特許請求の範囲】
【請求項１】  遊技領域に、複数の図柄を表示する図柄表示部を備えた図柄表示装置が設置されているとともに、その図柄表示装置が制御装置と電気的に接続されており、制御装置が、変動信号を受信すると、図柄表示部の図柄を変動させ、かつ、所定時間経過後に停止させ、さらに、所定の図柄を停止させた場合に、遊技者にとって有利な特別遊技状態を生起させる遊技機であって、
図柄表示装置が、前方に突出したステージを備えているとともに、制御装置と電気的に接続されたセンサを図柄表示装置の前面又はステージの上面に備えており、そのセンサが、遊技球の接触を検知すると、制御装置に対して、変動信号を発信することを特徴とする遊技機。
【請求項２】  遊技領域に、複数の図柄を表示する図柄表示部を備えた図柄表示装置が設置されているとともに、その図柄表示装置が制御装置と電気的に接続されており、制御装置が、所定条件の充足により送信される変動信号を受信すると、図柄表示部の図柄を変動させ、かつ、所定時間経過後に停止させ、さらに、所定の図柄を停止させた場合に、遊技者にとって有利な特別遊技状態を生起させる遊技機であって、
図柄表示装置が、前方に突出したステージを備えているとともに、制御装置と電気的に接続されたセンサを図柄表示装置の前面又はステージの上面に備えており、そのセンサが、遊技球の接触を検知すると、制御装置に対して、表示変更信号を発信し、さらに、制御装置が、表示変更信号を受信すると、図柄表示部の図柄の表示態様を変更させることを特徴とする遊技機。
【請求項３】  図柄表示装置が、ステージに遊技球を導くワープゾーンを備えていることを特徴とする請求項１または請求項２に記載の遊技機。
【請求項４】  ステージが、前方へ下がる傾斜を付した状態で設けられているとともに、ステージの上面に、制御装置と電気的に接続されたフリッパーが設けられており、さらに、遊技領域に、制御装置と電気的に接続された遊技球検出器が配置されており、制御装置が、遊技球検出器の検知信号を受信すると、フリッパーを揺動させることを特徴とする請求項１から請求項３のいずれかに記載の遊技機。
【請求項５】  センサが、遊技球の接触位置に対応した位置情報を有する変動信号もしくは表示変更信号を発生するものであり、制御装置が、位置情報に応じて図柄の一部のみを変動させ、もしくは、位置情報に応じて図柄の一部の表示態様を他の部分と異なる状態で変更させるものであることを特徴とする請求項１から請求項４のいずれかに記載の遊技機。
【手続補正２】
【補正対象書類名】明細書
【補正対象項目名】０００７
【補正方法】変更
【補正の内容】
【０００７】
よって、本発明のうち、請求項１に記載の発明の課題は、遊技球の始動入賞口への入賞以外の、全く新しい条件で図柄が変動されることにより、遊技者の興趣を喚起することができる遊技機を提供することにある。
【手続補正３】
【補正対象書類名】明細書
【補正対象項目名】０００８
【補正方法】変更
【補正の内容】
【０００８】
さらに、請求項２に記載の発明の課題は、図柄の表示態様を、遊技球の流下状況と関連させることにより、遊技者の興趣を維持することができる遊技機を提供することにある。
【手続補正４】
【補正対象書類名】明細書
【補正対象項目名】０００９
【補正方法】変更
【補正の内容】
【０００９】
また、請求項３に記載の発明の課題は、請求項１，請求項２に記載の発明の課題にくわえて、図柄表示装置の前側にも遊技球が流下するようにし、さらに、図柄の状態を、遊技球の流下と密接に関連させることにより、遊技者の興趣をさらに喚起することができる遊技機を提供することにある。
【手続補正５】
【補正対象書類名】明細書
【補正対象項目名】００１０
【補正方法】変更
【補正の内容】
【００１０】
くわえて、請求項４に記載の発明の課題は、請求項１から請求項３に記載の発明の課題の他、遊技球の特別な流下態様において図柄が変動されることにより、遊技者の興趣をさらに喚起することができる遊技機を提供することにある。
【手続補正６】
【補正対象書類名】明細書
【補正対象項目名】００１１
【補正方法】変更
【補正の内容】
【００１１】
また、請求項５に記載の発明の課題は、請求項１から請求項４に記載の発明の課題にくわえて、さらに遊技球の流下状況と密接に関連して図柄が変動されるようにすることにより、遊技者の興趣をさらに喚起することができる遊技機を提供することにある。
【手続補正７】
【補正対象書類名】明細書
【補正対象項目名】００１２
【補正方法】変更
【補正の内容】
【００１２】
【課題を解決するための手段】
本発明のうち、請求項１に記載の発明は、遊技領域に、複数の図柄を表示する図柄表示部を備えた図柄表示装置が設置されているとともに、その図柄表示装置が制御装置と電気的に接続されており、制御装置が、変動信号を受信すると、図柄表示部の図柄を変動させ、かつ、所定時間経過後に停止させ、さらに、所定の図柄を停止させた場合に、遊技者にとって有利な特別遊技状態を生起させる遊技機であって、図柄表示装置が、前方に突出したステージを備えているとともに、制御装置と電気的に接続されたセンサを図柄表示装置の前面又はステージの上面に備えており、そのセンサが、遊技球の接触を検知すると、制御装置に対して、変動信号を発信することを特徴とする。
【手続補正８】
【補正対象書類名】明細書
【補正対象項目名】００１３
【補正方法】変更
【補正の内容】
【００１３】
また、請求項２に記載の発明は、遊技領域に、複数の図柄を表示する図柄表示部を備えた図柄表示装置が設置されているとともに、その図柄表示装置が制御装置と電気的に接続されており、制御装置が、所定条件の充足により送信される変動信号を受信すると、図柄表示部の図柄を変動させ、かつ、所定時間経過後に停止させ、さらに、所定の図柄を停止させた場合に、遊技者にとって有利な特別遊技状態を生起させる遊技機であって、図柄表示装置が、前方に突出したステージを備えているとともに、制御装置と電気的に接続されたセンサを図柄表示装置の前面又はステージの上面に備えており、そのセンサが、遊技球の接触を検知すると、制御装置に対して、表示変更信号を発信し、さらに、制御装置が、表示変更信号を受信すると、図柄表示部の図柄の表示態様を変更させることを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
また、請求項３に記載の発明は、上記発明において、図柄表示装置が、ステージに遊技球を導くワープゾーンを備えていることを特徴とする。
【手続補正１２】
【補正対象書類名】明細書
【補正対象項目名】００１７
【補正方法】変更
【補正の内容】
【００１７】
さらに、請求項４に記載の発明は、上記発明において、ステージが、前方へ下がる傾斜を付した状態で設けられているとともに、ステージの上面に、制御装置と電気的に接続されたフリッパーが設けられており、さらに、遊技領域に、制御装置と電気的に接続された遊技球検出器が配置されており、制御装置が、遊技球検出器の検知信号を受信すると、フリッパーを揺動させることを特徴とする。
【手続補正１３】
【補正対象書類名】明細書
【補正対象項目名】００１８
【補正方法】変更
【補正の内容】
【００１８】
くわえて、請求項５に記載の発明は、上記発明において、センサが、遊技球の接触位置に対応した位置情報を有する変動信号もしくは表示変更信号を発生するものであり、制御装置が、位置情報に応じて図柄の一部のみを変動させ、もしくは、位置情報に応じて図柄の一部の表示態様を他の部分と異なる状態で変更させるものであることを特徴とする。
【手続補正１４】
【補正対象書類名】明細書
【補正対象項目名】００６０
【補正方法】変更
【補正の内容】
【００６０】
【発明の効果】
本発明のうち、請求項１に記載の発明は、遊技機の図柄表示装置が、接触の検知により変動信号を発信するセンサを備えているので、図柄の周辺における遊技球のセンサへの接触という全く新規な条件で図柄を変動させることができ、遊技者の興趣を高レベルに喚起することができる、という効果を奏する。
【手続補正１５】
【補正対象書類名】明細書
【補正対象項目名】００６１
【補正方法】変更
【補正の内容】
【００６１】
また、請求項２に記載の発明は、遊技機の図柄表示装置が、接触の検知により表示態様を変更するセンサを備えているので、図柄表示装置の表示態様を、遊技球の流下状況と密接に関連し、かつ変化に富んだ興味深いものとすることができ、遊技者の興趣を喚起し高レベルで維持することができる、という効果を奏する。
【手続補正１６】
【補正対象書類名】明細書
【補正対象項目名】００６２
【補正方法】変更
【補正の内容】
【００６２】
さらに、請求項１，請求項２に記載の発明は、図柄表示装置が遊技球を受けるステージを備えているので、図柄表示装置の前側で遊技球が転動でき、さらに遊技球の流下と図柄表示とを密接に関連させることができるし、センサを図柄表示装置の前面又はステージの上面に備えたので、遊技球をスムーズに接触させることができる、という効果を奏する。
【手続補正１７】
【補正対象書類名】明細書
【補正対象項目名】００６３
【補正方法】変更
【補正の内容】
【００６３】
また、請求項３に記載の発明は、上記発明において、遊技球をステージに導くワープゾーンを設けたので、上記発明の効果の他、流下と図柄変動とを関連させるための遊技球の図柄表示装置の前側への導入をスムーズに行える、という効果を奏する。
【手続補正１８】
【補正対象書類名】明細書
【補正対象項目名】００６４
【補正方法】変更
【補正の内容】
【００６４】
さらに、請求項４に記載の発明は、上記発明において、ステージに揺動自在なフリッパーを設けたので、上記発明の効果の他、遊技球のセンサへの接触をさらにスムーズに実行でき、しかも変化に富んだ興味深い動きを遊技球に付与することができる、という効果を奏する。
【手続補正１９】
【補正対象書類名】明細書
【補正対象項目名】００６５
【補正方法】変更
【補正の内容】
【００６５】
またさらに、請求項５に記載の発明は、上記発明において、センサが位置情報を発するようにしたので、上記発明の効果の他、一層遊技球の流下と図柄の変動とを関連させて、さらに遊技者の興趣を喚起することができる、という効果を奏する。